【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
無線通信システム内の機器間通信（Ｍ２Ｍ）機器においてマルチキャストデータを受信する方法であって、
前記方法は、
前記Ｍ２Ｍ機器のページング聴取区間の間に基地局からページングメッセージを受信することであって、前記ページングメッセージは、マルチキャストトラフィックを受信したことを指示するマルチキャストトラフィック指示子を含む、ことと、
前記基地局からマルチキャストデータを受信することと、
前記基地局から、前記マルチキャストデータが最後のマルチキャスト伝送に対応することを指示する信号、または、マルチキャストデータ伝送の終了を指示する信号を含むメッセージを受信することと、
前記メッセージを受信した際に、ページング利用不可区間に入ることと
を含む、方法。
【請求項２】
前記マルチキャストトラフィック指示子は、０ｂ１０に設定される、請求項１に記載の方法。
【請求項３】
前記ページングメッセージは、マルチキャスト伝送開始時間をさらに含み、
前記マルチキャストデータは、前記マルチキャスト伝送開始時間に受信される、請求項１に記載の方法。
【請求項４】
前記ページングメッセージは、マルチキャスト伝送開始時間をさらに含み、
前記方法は、前記マルチキャスト伝送開始時間によって指示されたフレームまではパワーダウン状態で動作することをさらに含む、請求項１に記載の方法。
【請求項５】
前記メッセージは、前記Ｍ２Ｍ機器に対応するＭ２Ｍグループ識別子（ＩＤ）（ＭＧＩＤ）をさらに含む、請求項１に記載の方法。
【請求項６】
前記メッセージは、前記Ｍ２Ｍ機器に対応するＭ２Ｍ接続識別子（Ｍ２ＭＣＩＤ）をさらに含む、請求項１に記載の方法。
【請求項７】
前記メッセージは、ＡＡＩ−ＭＴＥ−ＩＮＤメッセージである、請求項１に記載の方法。
【請求項８】
前記メッセージは、ＭＯＢ＿ＭＴＥ−ＩＮＤメッセージである、請求項１に記載の方法。
【請求項９】
前記マルチキャスト伝送開始時間は、前記基地局が前記マルチキャストデータを伝送することを開始するフレーム番号の最下位８ビットとしてシグナリングされる、請求項３に記載の方法。
【請求項１０】
前記メッセージは、マルチキャスト割当Ａ−ＭＡＰ  ＩＥまたはブロードキャスト割当Ａ−ＭＡＰ  ＩＥによって送信される、請求項１に記載の方法。
【請求項１１】
無線通信システム内の基地局においてマルチキャストデータを伝送する方法であって、
前記方法は、
機器間通信（Ｍ２Ｍ）機器のページング聴取区間の間に前記Ｍ２Ｍ機器にページングメッセージを伝送することであって、前記ページングメッセージは、マルチキャストトラフィックを受信したことを指示するマルチキャストトラフィック指示子を含む、ことと、
前記Ｍ２Ｍ機器にマルチキャストデータを伝送することと、
前記基地局から、前記マルチキャストデータが最後のマルチキャスト伝送に対応することを指示する信号、または、マルチキャストデータ伝送の終了を指示する信号を含むメッセージを伝送することと
を含む、方法。
【請求項１２】
前記ページングメッセージは、マルチキャスト伝送開始時間をさらに含み、
前記マルチキャストデータは、前記マルチキャスト伝送開始時間に伝送される、請求項１１に記載の方法。
【請求項１３】
前記マルチキャスト伝送開始時間は、前記基地局が前記マルチキャストデータを伝送することを開始するフレーム番号の最下位８ビットとしてシグナリングされる、請求項１１に記載の方法。
【請求項１４】
前記ページングメッセージは、前記Ｍ２Ｍ機器に対応するＭ２Ｍグループ識別子（ＩＤ）（ＭＧＩＤ）をさらに含む、請求項１１に記載の方法。
【請求項１５】
前記ページングメッセージは、前記Ｍ２Ｍ機器に対応するＭ２Ｍ接続識別子（Ｍ２ＭＣＩＤ）をさらに含む、請求項１１に記載の方法。
【請求項１６】
無線通信システム内でマルチキャストデータを受信する機器間通信（Ｍ２Ｍ）機器であって、
前記Ｍ２Ｍ機器は、
受信器であって、
前記Ｍ２Ｍ機器のページング聴取区間の間に基地局からページングメッセージを受信することであって、前記ページングメッセージは、マルチキャストトラフィックを受信したことを指示するマルチキャストトラフィック指示子を含む、ことと、
前記基地局からマルチキャストデータを受信することと、
前記基地局から、前記マルチキャストデータが最後のマルチキャスト伝送に対応することを指示する信号、または、マルチキャストデータ伝送の終了を指示する信号を含むメッセージを受信することと
を行うように構成されている、受信器と、
前記メッセージを受信した際に、ページング利用不可区間に入ることを制御するように構成されたプロセッサと
を含む、Ｍ２Ｍ機器。
【請求項１７】
前記ページングメッセージは、マルチキャスト伝送開始時間をさらに含み、
前記プロセッサは、前記マルチキャスト伝送開始時間によって指示されたフレームまではパワーダウン状態で動作することを制御するようにさらに構成されている、請求項１６に記載のＭ２Ｍ機器。
【請求項１８】
前記ページングメッセージは、マルチキャスト伝送開始時間をさらに含み、
前記マルチキャストデータは、前記マルチキャスト伝送開始時間に受信される、請求項１６に記載のＭ２Ｍ機器。
【請求項１９】
無線通信システム内でマルチキャストデータを伝送する基地局であって、
前記基地局は、
送信器と、
プロセッサと
を含み、
前記プロセッサは、
前記送信器に、機器間通信（Ｍ２Ｍ）機器のページング聴取区間の間に前記Ｍ２Ｍ機器にページングメッセージを伝送させることであって、前記ページングメッセージは、マルチキャストトラフィックを受信したことを指示するマルチキャストトラフィック指示子を含む、ことと、
前記送信器に、前記Ｍ２Ｍ機器にマルチキャストデータを伝送させることと、
前記送信器に、前記基地局から、前記マルチキャストデータが最後のマルチキャスト伝送に対応することを指示する信号、または、マルチキャストデータ伝送の終了を指示する信号を含むメッセージを伝送させることと
を行うように構成されている、基地局。
【請求項２０】
前記ページングメッセージは、マルチキャスト開始時間をさらに含み、
前記プロセッサは、前記送信器に、前記マルチキャスト開始時間に前記マルチキャストデータを伝送させるようにさらに構成されている、請求項１９に記載の基地局。
【手続補正２】
【補正対象書類名】明細書
【補正対象項目名】００１７
【補正方法】変更
【補正の内容】
【００１７】
本発明から得られる効果は、以上に言及した効果に制限されず、言及していない別の効果は、下の記載から、本発明の属する技術の分野における通常の知識を有する者には明らかになるであろう。
本発明は、例えば、以下を提供する。
（項目１）
無線通信システムにおいてＭ２Ｍ（Ｍａｃｈｉｎｅ  ｔｏ  Ｍａｃｈｉｎｅ）機器がマルチキャスト（ｍｕｌｔｉｃａｓｔ）データを受信する方法であって、
基地局からマルチキャストデータを受信することと、
上記基地局から、上記マルチキャストデータが最後のマルチキャスト伝送であることを指示したり、又はマルチキャスト伝送終了を指示する信号を含む情報を受信すること、
とを含む、マルチキャストデータ受信方法。
（項目２）
上記情報は、上記マルチキャストデータと共に、又は上記マルチキャストデータとは別に伝送される、項目１に記載のマルチキャストデータ受信方法。
（項目３）
上記情報が上記マルチキャストデータと共に伝送される場合には、上記マルチキャストデータにピギーバック（ｐｉｇｇｙｂａｃｋ）されて伝送される、項目２に記載のマルチキャストデータ受信方法。
（項目４）
上記情報は、サブヘッダー（ｓｕｂｈｅａｄｅｒ）又はマルチキャスト伝送終了拡張ヘッダー（ｍｕｌｔｉｃａｓｔ  ｔｒａｎｓｍｉｓｓｉｏｎ  ｅｎｄ  ｅｘｔｅｎｄｅｒ  ｈｅａｄｅｒ）フォーマットで伝送される、項目３に記載のマルチキャストデータ受信方法。
（項目５）
上記情報が上記マルチキャストデータとは別に伝送される場合には、ＭＡＣ制御メッセージ、シグナリングヘッダー又は物理層シグナリングにより伝送される、項目２に記載のマルチキャストデータ受信方法。
（項目６）
上記ＭＡＣ制御メッセージは、ＡＡＩ−ＭＴＥ−ＩＮＤメッセージフォーマット又はＭＯＢ＿ＭＴＥ−ＩＮＤメッセージフォーマットである、項目５に記載のマルチキャストデータ受信方法。
（項目７）
上記シグナリングヘッダーは、マルチキャスト伝送終了指示ヘッダー（ｍｕｌｔｉｃａｓｔ  ｔｒａｎｓｍｉｓｓｉｏｎ  ｅｎｄ  ｉｎｄｉｃａｔｉｏｎ  ｈｅａｄｅｒ）である、項目５に記載のマルチキャストデータ受信方法。
（項目８）
上記物理層シグナリングは、マルチキャスト伝送終了指示Ａ−ＭＡＰ  ＩＥ（ｍｕｌｔｉｃａｓｔ  ｔｒａｎｓｍｉｓｓｉｏｎ  ｅｎｄ  ｉｎｄｉｃａｔｉｏｎ  Ａ−ＭＡＰ  ＩＥ）又は放送割当Ａ−ＭＡＰ  ＩＥ（Ｂｒｏａｄｃａｓｔ  Ａｓｓｉｇｎｍｅｎｔ  Ａ−ＭＡＰ  ＩＥ）である、項目５に記載のマルチキャストデータ受信方法。
（項目９）
上記情報に基づいて利用不可区間（ｕｎａｖａｉｌａｂｌｅ  ｉｎｔｅｒｖａｌ）又は遊休モード（ｉｄｌｅ  ｍｏｄｅ）に入ること、をさらに含む、項目１に記載のマルチキャストデータ受信方法。
（項目１０）
Ｍ２Ｍグループ識別子（Ｉｄｅｎｔｉｆｉｅｒ、ＩＤ）と上記マルチキャストデータ伝送を指示する指示子とを含むページングメッセージを受信すること、をさらに含み、
上記Ｍ２ＭグループＩＤが上記Ｍ２Ｍ機器に該当すると、上記Ｍ２ＭグループＩＤに基づいて上記マルチキャストデータ及び上記情報を受信する、項目１に記載のマルチキャストデータ受信方法。
（項目１１）
上記基地局から、上記マルチキャストデータの伝送開始に関する情報を受信すること、をさらに含み、
上記マルチキャストデータの伝送開始に関する情報に基づいて上記マルチキャストデータを受信する、項目１０に記載のマルチキャストデータ受信方法。
（項目１２）
無線通信システムにおいてマルチキャスト（ｍｕｌｔｉｃａｓｔ）データを受信するＭ２Ｍ（Ｍａｃｈｉｎｅ  ｔｏ  Ｍａｃｈｉｎｅ）機器であって、
基地局からマルチキャストデータを受信し、
上記基地局から、上記マルチキャストデータが最後のマルチキャスト伝送であることを指示したり、又はマルチキャスト伝送終了を指示する信号を含む情報を受信する、受信器を備える、Ｍ２Ｍ機器。
（項目１３）
上記情報は、上記マルチキャストデータと共に、又は上記マルチキャストデータとは別に伝送される、項目１２に記載のＭ２Ｍ機器。
（項目１４）
上記情報が上記マルチキャストデータと共に伝送される場合には、上記マルチキャストデータにピギーバック（ｐｉｇｇｙｂａｃｋ）されて伝送される、項目１３に記載のＭ２Ｍ機器。
（項目１５）
上記情報は、サブヘッダー（ｓｕｂｈｅａｄｅｒ）又はマルチキャスト伝送終了拡張ヘッダー（ｍｕｌｔｉｃａｓｔ  ｔｒａｎｓｍｉｓｓｉｏｎ  ｅｎｄ  ｅｘｔｅｎｄｅｒ  ｈｅａｄｅｒ）フォーマットで伝送される、項目１４に記載のＭ２Ｍ機器。
（項目１６）
上記情報が上記マルチキャストデータとは別に伝送される場合には、ＭＡＣ制御メッセージ、シグナリングヘッダー又は物理層シグナリングにより伝送される、項目１３に記載のＭ２Ｍ機器。
（項目１７）
上記情報に基づいて利用不可区間（ｕｎａｖａｉｌａｂｌｅ  ｉｎｔｅｒｖａｌ）又は遊休モード（ｉｄｌｅ  ｍｏｄｅ）に入るように制御するプロセッサをさらに備える、項目１２に記載のＭ２Ｍ機器。
（項目１８）
上記受信器は、Ｍ２Ｍグループ識別子（Ｉｄｅｎｔｉｆｉｅｒ、ＩＤ）と上記マルチキャストデータ伝送を指示する指示子とを含むページングメッセージを上記基地局からさらに受信し、上記Ｍ２ＭグループＩＤが上記Ｍ２Ｍ機器に該当すると、上記Ｍ２ＭグループＩＤに基づいて上記マルチキャストデータ及び上記情報を受信する、項目１２に記載のＭ２Ｍ機器。
（項目１９）
上記受信器は、上記基地局から上記マルチキャストデータの伝送開始に関する情報をさらに受信し、上記マルチキャストデータの伝送開始に関する情報に基づいて上記マルチキャストデータを受信する、項目１８に記載のＭ２Ｍ機器。